(57)【要約】【課題】    地震、津波などにより原子力設備自身破壊し、原子力設備からヨウ素などを含んだ微量な放射性ガスを放出し、近接する周辺の住宅やオフイス、工場施設などを汚染した場合、それぞれの室内を清浄化するような装置は考えられていないのが現状である。【解決手段】  室内に入り込んだヨウ素を含んだ放射性ガスや粒子を、空気吸い込み口と空気吹き出し口を形成した箱型の本体内にプレフィルタと吸着パネルと送風機及び中高性能あるいはＨＥＰＡフィルタとを内臓した放射性ガス清浄化装置により、ヨウ素などを含んだ微量な放射性ガスや粒子を浄化して清浄空気として室内に戻して、これを繰り返して室内空気を清浄空気に入れ替えるようにしたものである。【選択図】図１
2012202985.tif 000002
【特許請求の範囲】
【請求項１】
空気吸い込み口と空気吹き出し口を形成した箱型の本体内にプレフィルタと吸着パネルと送風機及び中高性能あるいはＨＥＰＡなどの除去フィルタとを内臓したことを特徴とする放射性ガス清浄化装置。
【請求項２】
吸着パネルの気流方向上流側にプレフィルタを、気流方向下流側に中高性能あるいはＨＥＰＡなどの除去フィルタおよび送風機を設けたことを特徴とする請求項１の放射性ガス清浄化装置。
【請求項３】
吸着パネルは汚染ガス中に含まれる放射性ヨウ素などの放射性物質を除去する機能を持った吸着材で充填されたことを特徴とする請求項１の放射性ガス清浄化装置。
【請求項４】
吸着パネルを本体内に設けた枠に平板状あるいはジグザグ状に取り付けたことを特徴とする請求項１の放射性ガス清浄化装置。
【発明の詳細な説明】
【技術分野】
【０００１】  本発明は住宅やオフイス、工場施設などの室内に入り込んだヨウ素などを含んだ放射性ガスや粒子を処理し、室内を清浄化するようにした放射性ガス清浄化装置に関するものである。
【背景技術】
【０００２】  従来、原子力発電所や核燃料再処理工場から排出されるヨウ素などを含んだ放射性ガスを吸着除去する装置が正常に作動しなかったり、所内や工場内で異常が発生し、ヨウ素などを含んだ放射性ガスで充満してしまった時に、原子力施設から放出するのを防止したり、減少させる目的で非常用放射性ガス処理装置が設けられている。【０００３】  しかし、地震、津波などにより原子力設備自身に破壊し、原子力設備からヨウ素などを含んだ微量な放射性ガスを放出し、近接する周辺の住宅やオフイス、工場施設などを汚染した場合、それぞれの室内を清浄化するような装置は考えられていないのが現状である。
【発明の開示】
【発明が解決しようとする課題】
【０００４】  そこで本発明はこれらの課題を解決しょうとしたもので、第１の目的は住宅やオフイス、工場施設などの室内に入り込んできた放射性ガス中のヨウ素や粒子などを除去し室内を清浄化しようとしたものである。【０００５】  もう一つの本発明の目的は室内に放射性ガス清浄化装置を設置し、放射性ガス清浄化装置の電源スイッチを押すだけと言った簡単な操作で室内の放射性ガス中のヨウ素などの濃度を低減しようとしたものである。【０００６】  もう一つの本発明の目的は室内の放射性ガス中のちりおよびほこりなどの粒子を除去した清浄空気を室内へ吹き出すようにしたものである。【０００７】  もう一つの本発明の目的は設置する場所に自由に移動可能にしたものである。
【課題を解決するための手段】
【０００８】    本発明の第１の解決手段は、吸い込み口と吹き出し口を形成した箱型の本体内にプレフィルタと吸着パネルと送風機及び中高性能あるいはＨＥＰＡなどの粒子除去フィルタとを内臓したことを特徴とする放射性ガス清浄化装置。【０００９】  本発明の第２の解決手段は、放射性ガス中のヨウ素を除去する機能を持った吸着材を収納した吸着パネルを本体内に設けた枠に平板状あるいはジグザグ状に取り付けたことを特徴としたものである。【００１０】  本発明の第３の解決手段は、吸着パネルの上流側にプレフィルタを、吸着パネルの下流側に中高性能あるいはＨＥＰＡなどの粒子除去フィルタを設けたことを特徴としたものである。【００１１】  本発明の第４の解決手段は、本体に空気の吸い込み口、上部に吹き出し口を形成し、さらに底部にキャスタを取り付けたことを特徴としたものである。【００１２】  放射性ガス中のヨウ素を除去する機能を持った吸着材は基材にイオン交換基をグラフト重合して得られた粒状あるいは不織布状をなしている。
基材としては吸着性のある物質でイオン交換基をグラフト重合できるもので良く、例えば活性炭、ゼオライトや活性炭、ゼオライトにヨウ化カリウムや硝酸銀などの銀を添着した添着活性炭や添着ゼオライト、無機質多孔性体や、ポリエチレンなどの有機合成樹脂、高分子多孔性体などの有機質多孔性体などが採用される。【００１３】  これらの交換基を基材にグラフト重合する方法としては、従来公知のグラフト重合法が採用でき、例えば紫外線あるいはプラズマ、電離線などを照射して基材にラジカルを発生させ、所定の交換基を重合させて形成することができる。【００１４】さらに、吸着パネルは枠の一端を着脱自在にした四辺形枠の両面にパンチング板を貼着して構成したパネルケースに前記吸着材を充填して構成したものである。【００１５】  そして、吸着パネルへの吸着材の取替えは枠の一端をパネルケースの蓋にして吸着材の交換を蓋を取り外して上方から吸着材を出し入れすることにより行われる。【００１６】  また、吸着パネルの上流側のプレフィルタはフィルタ保持枠に接着材あるいは係止ツメなどを介して取り付けられている。【００１７】  そしてプレフィルタはガラス繊維あるいは不織布あるいはポリエステル繊維、ポリアミド繊維、ポリオレフィン繊維、レーヨン繊維などの合成繊維を湿式抄紙法や乾式法、スパンボンド法、メルトブロー法などで形成した１枚の濾材シートをフィルタ枠に取り付けたものである。【００１８】  また、前記プレフィルタは平均除去効率が比色法で２０〜８０％であることが望ましい。【００１９】  次に中高性能あるいはＨＥＰＡなどの粒子除去フィルタは繊維径が６μｍ以下（中心繊維径：３．５μｍ前後）で且つ繊維重量の９３重量％以上のガラス繊維あるいは不織布あるいはポリエステル繊維、ポリアミド繊維、ポリオレフィン繊維、レーヨン繊維などの合成繊維の単独あるいは適宜混合して湿式抄紙法や乾式法、スパンボンド法、メルトブロー法などで形成した１枚の濾材シートをジグザグ状に折り畳んでフィルタ濾材とし、この濾材間に適宜材質のセパレータを挟んだりジグザグ状に折り畳んだろ材間に塗布したビードでろ材同志が密着しないように剛性をもたせて固定し上下にパッキンを取り付けて気密性を持たせてセル型に形成したものである。【００２０】  そして前記中高性能あるいはＨＥＰＡなどの粒子除去フィルタの濾材シートはシートの厚みが０．２〜２．０ｍｍで、粒径０．３μｍの粒子に対して８０〜９９．９９％の捕集効率を有している。【００２１】  上記効率や数字は各段のフィルタ配置によって種々変更されても何ら要旨を変更するものではない。【００２２】  上記課題解決手段による作用は次の通りである。まず、本体内に内臓した送風機の吸気運転により住宅やオフイス、工場施設などの室内に入り込んだ原子力設備から放出した放射性ガスは本体に形成された空気吸い込み口より本体内に取り入れられる。次に、本体内に取り入れられたガス中のちりやほこりなど比較的大きなダストはプレフィルタにて除去される。そして後段の吸着パネルへの負荷を軽減できるようになっている。【００２３】  次に比較的大きなダストが除去されたガスは吸着パネルを通過する。この時点で吸着パネル内に充填された吸着材により���射性ガス中のヨウ素などが除去される。【００２４】  さらに、比較的大きなダストおよび吸着パネルを通過し放射性ガス中のヨウ素が除去されたガスは微粒子に対し高い捕集効率を有した中高性能あるいはＨＥＰＡなどの粒子除去フィルタを通過する。その際空気中に含まれた細かな粒径ダストは除去され清浄な空気として本体に形成された空気吹き出し口より室内に吐き出される。【００２５】  そして、上記運転を継続することによってヨウ素を含んだ放射性ガスの室内ガス全体は除々に浄化され、ついには清浄な空気で室内は充満される。
【発明の効果】
【００２６】  上述したように、本発明の放射性ガス清浄化装置は次のような効果が得られる。
（１）放射性ガス清浄化装置は箱型の本体内に内臓したプレフィルタと吸着パネルと送風機及び中高性能フィルタとから構成されたもので、構造が非常に簡単に出来ていて取り扱いが容易である上、設置スペースを小さくでき現地設置の簡素化が図れる。
（２）吸着パネルには放射性ヨウ素を除去する機能を持った吸着剤が充填されているので、吸着パネルを通過したガスは放射性ヨウ素が除去される。
（３）さらに、放射性ヨウ素が除去されたガスは中高性能あるいはＨＥＰＡなどの粒子除去フィルタで細かな粒径ダストが除去された後空気吹き出し口より室内へ吐き出されるので、清浄化されたガスが室内に供給される。これらの操作を繰り返すことにより室内の空気は、確実に清浄化され、室内にいる人員の健康を保つことが出来る。
（４）吸着パネルの前段にプレフィルタを設置したので吸着パネルに流入する塵埃濃度を大幅に低減でき、吸着パネルの圧力損失の上昇度合いを抑制でき長寿命化が図れ、ランニングを含めたトータルコストの省力化が可能となる。
（５）箱型の本体底部にキャスタを取り付けたので、室内の設置したい場所に自由に移動可能である。
【図面の簡単な説明】
【００２７】
【図１】本発明の実施例１の正面図を示す。
【図２】第１図の平面図を示す。
【図３】１部内部を示す第１図の左面図。
【図４】第１図の右面図を示す。
【図５】１部内部を示す本発明実施例２の正面図。
【図６】第５図の平面図を示す。
【図７】１部内部を示す第５図の左面図。
【図８】第５図の右面図を示す。
【図９】１部内部を示す本発明実施例２の正面図。
【図１０】第５図の平面図を示す。
【図１１】１部内部を示す第５図の左面図。
【図１２】第５図の右面図を示す。
【発明を実施するための最良の形態】
【００２８】  以下本発明の放射性ガス清浄化装置について図面を参照して詳細に説明する。
【実施例１】  住宅室内に設置した場合の放射性ガス清浄化装置について図１から図４を参照して説明する。１は箱型の本体で、本体１は両側面板２、３と一方の側面板２にヒンジ止めされた正面ドア４とキャスター５を取り付けた底板６と上板７および背板８とから構成されている。そして、正面ドア４の正面には空気吸い込み口９が形成されている。【００２９】  また、本体１の内部には吸着パネル１０が気密に平板状に取り付けられるように枠に取り付けられている。【００３０】  吸着パネル１０の気流方向上流側にはプレフィルタ１１が枠に取り付けられ、気流方向下流側には中高性能あるいはＨＥＰＡフィルタ１２が枠に取り付けられている。そして中高性能あるいはＨＥＰＡフィルタ１２の後段には送風機１３が設置されている。さらに上板７には空気の吹き出し口１４が形成されている。【００３１】  実施例１の構造はこのように簡単な構造であるので、本体１内の送風機１３の吸気運転によりヨウ素を含んだ放射性ガス含んだ室内のガスは本体に形成された空気吸い込み口９より本体１内に取り入れられる。そして、本体１内に取り入れられたガスはプレフィルタ１１にてちりおよびほこりなどの比較的大きなダストが除去され、吸着パネルを通過する。そしてこの吸着パネル１０にて放射性ガスなどのヨウ素が除去される。【００３２】  さらに、吸着パネル１０を通過した空気は中高性能あるいはＨＥＰＡフィルタフィルタ１２にて細かな粒径ダストが除去され清浄なガスとして上板７に形成された空気吹き出し口１４より室内に吐き出される。【００３３】  そして、上記運転を継続することによってヨウ素を含んだ放射性ガスの室内ガス全体は除々に浄化され、ついには清浄な空気で室内は充満される。
【実施例２】
【００３４】  オフイス室内に設置した場合の放射性ガス清浄化装置について図５から図８を参照して説明する。２１は箱型の本体で、本体２１は両側面板２２、２３と一方の側面板２２にヒンジ止めされた正面ドア２４とキャスター２５を取り付けた底板２６と上板２７および背板２８とから構成されている。そして、両側面板２２、２３と正面ドア２４の底部には空気吸い込み口２９がそれぞれ形成されている。さらに正面ドア２４の上部には空気の吹き出し口３０が形成されている。【００３５】  また、本体２１の内部には吸着パネル３１が気密にジグザグ状に枠に取り付けられている。【００３６】  吸着パネル３１の気流方向上流側にはプレフィルタ３２が枠に取り付けられ、気流方向下流側には中高性能あるいはＨＥＰＡフィルタ３３が枠に取り付けられている。そして中高性能あるいはＨＥＰＡフィルタ３３の前段には送風機３４が設置されている。【００３７】  実施例２の構造はこのように簡単な構造であるので、本体２１内の送風機３４の吸気運転によりヨウ素を含んだ放射性ガス含んだ室内のガスは本体２１に形成された空気吸い込み口２９より本体２１内に取り入れられる。そして、本体２１内に取り入れられた空気はプレフィルタ３２にてちりおよびほこりなどの比較的大きなダストが除去され、吸着パネル３１を通過する。そしてこの吸着パネル３１にて放射性ガスなどのヨウ素が除去される。【００３８】  さらに、吸着パネル３１を通過した空気は中高性能あるいはＨＥＰＡフィル夕３３にて細かな粒径ダストが除去され清浄な空気として正面ドア２４の上部に形成された空気吹き出し口３０より室内に吐き出される。【００３９】  そして、上記運転を継続することによってヨウ素を含んだ放射性ガスは除々に浄化され、ついには清浄な空気で室内全体は充満される。
【実施例３】
【００４０】  広い工場設備室内に設置した場合の放射性ガス清浄化装置について図９から図１２に示すが実施例２とほぼ構造および作用効果が同じであることから図面中には実施例２と同じ番号を記し詳細な説明は省略する。【００４１】  尚、本実施例では本発明の一実施例を述べたもので、これに限定されることなく、種々変更しても何ら本発明の要旨を変更するものではない。
【産業上の利用可能性】
【００４２】  住宅やオフイス、工場施設などの室内に放射性ガス清浄化装置を置いて、室内の空気を浄化して清浄空気として室内に戻して、これを繰り返して室内空気を清浄空気に入れ替えるようにしたもので実用上大いに役立つものである。
【符号の説明】
【００４３】１・・・本体    ２・・・側面板    ３・・・側面板    ４・・・正面ドア
５・・・キャスター    ６・・・底板    ７・・・上板    ８・・・背板
９・・・空気吸い込み口    １０・・・吸着パネル  １１・・・プレフィルタ
１２・・・中高性能フィルタ    １３・・・送風機１３
１４・・・空気の吹き出し口    ２１・・・本体    ２２・・・側面板
２３・・・側面板    ２４・・・正面ドア    ２５・・・キャスター
２６・・・底板    ２７・・・上板    ２８・・・背板２８
２９・・・空気吸い込み口    ３０・・・空気の吹き出し口
３１・・・吸着パネル    ３２・・・プレフィルタ
３３・・・中高性能フィルタ    ３４・・・送風機
【図１】
2012202985.tif 000003
【図２】
2012202985.tif 000004
【図３】
2012202985.tif 000005
【図４】
2012202985.tif 000006
【図５】
2012202985.tif 000007
【図６】
2012202985.tif 000008
【図７】
2012202985.tif 000009
【図８】
2012202985.tif 000010
【図９】
2012202985.tif 000011
【図１０】
2012202985.tif 000012
【図１１】
2012202985.tif 000013
【図１２】
2012202985.tif 000014